(57)【要約】  既存技術はキャリア・アグリゲーション（ＣＡ）における同じタイミング・アドバンス（ＴＡ）の事例に焦点があり、マルチＴＡのＣＡにおいてセカンダリ・セル（ＳＣｅｌｌ）にランダム・アクセス（ＲＡ）することを対象としていない。本発明はＳＣｅｌｌにＲＡしてデータを受信する方法を提供する。ＳＣｅｌｌにＲＡする手順に関し、ＵＥはプライマリ・セル（ＰＣｅｌｌ）にアクセスし、ＰＣｅｌｌ及びＳＣｅｌｌは別のＴＡグループに属し、第１セルはＲＡコマンド（ＲＡＣ）をＵＥへ送信し、そのＲＡＣはＳＣｅｌｌにアクセスするようＵＥに指示するために使用され、ＵＥはそのＲＡＣに従いＲＡプリアンブルをＳＣｅｌｌへ送信する。好ましくは、第１セルはＳＣｅｌｌをクロスキャリア・スケジューリングする別のセル又はＳＣｅｌｌを含む。本発明はマルチＴＡシナリオにおいてＳＣｅｌｌにＲＡするという技術的解決を提供し、既存技術の溝を埋めるものである。
2015516726.tif 000002
【特許請求の範囲】
【請求項１】
セカンダリ・セルにランダムにアクセスするために使用されるＵＥにおける方法であって、前記ＵＥが、プライマリ・セルにアクセスしており、前記プライマリ・セルおよび前記セカンダリ・セルが、別々のタイミング・アドバンス・グループに属しており、
ａ．第１のセルからランダム・アクセス・コマンドを受信するステップであり、前記コマンドが、前記セカンダリ・セルにアクセスするよう前記ＵＥに指示するために使用される、受信するステップと、
ｂ．前記ランダム・アクセス・コマンドに従ってランダム・アクセス・プリアンブルを前記セカンダリ・セルへ送信するステップと、
を含む、方法。
【請求項２】
前記ステップａにおいて、前記受信されるランダム・アクセス・コマンドが、
セカンダリ・セルにアクセスすることを指示する命令情報を含む、ランダム・アクセスを指示するダウンリンク制御情報１Ａ、
セカンダリ・セルにランダムにアクセスすることを指示するための専用のものとされているダウンリンク制御情報、
のうちのいずれか１つである、請求項１に記載の方法。
【請求項３】
前記ランダム・アクセス・コマンドが、ランダム・アクセスを指示する前記ダウンリンク制御情報１Ａである場合には、前記命令情報が、セカンダリ・セルにランダムにアクセスすることを指示するために使用される特定の値を伴って構成されている下記のフィールド、すなわち、
キャリア・インジケータ、
専用の情報要素、
変調および符号化方式の情報要素、
ＨＡＲＱ手順番号の情報要素、
のうちのいずれかを含む、請求項２に記載の方法。
【請求項４】
前記セカンダリ・セルが、基地局によってクロスキャリア・スケジューリングを用いて構成されており、前記ランダム・アクセス・コマンドが、前記セカンダリ・セルを示す指示情報をさらに含み、
前記ステップａにおいて、前記セカンダリ・セルをクロスキャリア・スケジューリングする別のセルが第１のセルであり、前記ランダム・アクセス・コマンドが、前記別のセルによって送信される、請求項１に記載の方法。
【請求項５】
前記セカンダリ・セルが、基地局によってクロスキャリア・スケジューリングを用いて構成されてはおらず、
前記ステップａにおいて、前記セカンダリ・セルが、前記ランダム・アクセス・コマンドを送信するための前記第１のセルとみなされ、前記ランダム・アクセス・コマンドが、前記セカンダリ・セルによって送信される、請求項１に記載の方法。
【請求項６】
前記ステップａが、前記コマンドから物理ランダム・アクセス・チャネルのプリアンブル情報およびマスク情報を入手し、
前記ステップｂが、前記物理ランダム・アクセス・チャネルの構成に従って、ランダム・アクセスを要求するために前記プリアンブルを前記セカンダリ・セルへ送信する、請求項１に記載の方法。
【請求項７】
前記ステップｂの前に、
前記ランダム・アクセス・コマンドが有効であるかどうかを確認するステップと、
前記コマンドの有効性が確認された場合に前記ステップｂを実施するステップと、
をさらに含む、請求項１に記載の方法。
【請求項８】
前記プライマリ・セル、およびセカンダリ・セルのうちのそれぞれが、それぞれ属する前記タイミング・アドバンス・グループを判定するステップをさらに含み、
前記ランダム・アクセス・コマンドが有効であるということを確認するステップが、
前記セカンダリ・セルが属する前記タイミング・アドバンス・グループが、前記プライマリ・セルの前記タイミング・アドバンス・グループとは異なる、ということを判定するステップと、
前記セカンダリ・セルがアクティブ化されているということを判定するステップと、
前記プリアンブルが、専用のランダム・アクセス・プリアンブルであり、前記物理ランダム・アクセス・チャネルが有効であるということを判定するステップと、
を含む、請求項７に記載の方法。
【請求項９】
第１のセルが属する基地局において、セカンダリ・セルにランダムにアクセスするようＵＥに指示するために使用される方法であって、前記ＵＥが、プライマリ・セルにアクセスしており、前記プライマリ・セルおよび前記セカンダリ・セルが、別々のタイミング・アドバンス・グループに属しており、
ｃ．ランダム・アクセス・コマンドを前記ＵＥへ送信するステップであり、前記コマンドが、前記セカンダリ・セルにアクセスするよう前記ＵＥに指示するために使用される、送信するステップを含む、方法。
【請求項１０】
前記ステップｃが、前記セカンダリ・セルを示す指示情報を、送信するための前記ランダム・アクセス・コマンド内に置き、および／または、
前記第１のセルが、
前記セカンダリ・セル、
前記プライマリ・セル、
前記セカンダリ・セルをクロスキャリア・スケジューリングする別のセル、
のうちのいずれかのセルを含む、請求項９に記載の方法。
【請求項１１】
ＵＥにおいてデータを受信する方法であって、前記ＵＥが、プライマリ・セルにアクセスしており、セカンダリ・セルにランダムにアクセスしており、前記セカンダリ・セルおよび前記プライマリ・セルが、別々のタイミング・アドバンス・グループに属しており、
ｉ．特定のサブフレームにおいて前記セカンダリ・セルからランダム・アクセス応答を受信するステップと、
ｉｉ．前記サブフレームにおいてその他のセルによって送信された物理ダウンリンク・チャネルを受信して復号することを継続するステップと、を含む、方法。
【請求項１２】
前記ステップｉｉにおいて、前記その他のセルが、
前記プライマリ・セル、および／または、
前記プライマリ・セルと同じタイミング・アドバンス・グループに属するその他のセカンダリ・セル、および／または、
前記セカンダリ・セルとは異なるタイミング・アドバンス・グループに属するその他のセル、
を含む、請求項１１に記載の方法。
【請求項１３】
前記ステップｉにおいて、前記ランダム・アクセス応答が、ランダム・アクセスＲＮＴＩによってスクランブルされ、
前記ステップｉｉにおいて、
前記ＵＥが、前記ＵＥのＣ−ＲＮＴＩによってスクランブルされたダウンリンク制御情報をＰＤＣＣＨにおいて復号すること、および／または、
前記ＵＥの半永続スケジューリングＲＮＴＩによってスクランブルされたダウンリンク制御情報をプライマリ・セルのＰＤＣＣＨにおいて復号すること、および／または、
前記ＵＥの半永続スケジューリングＲＮＴＩによってスクランブルされたデータ情報をプライマリ・セルのＰＤＳＣＨにおいて復号すること、
を必要とする、請求項１２に記載の方法。
【発明の詳細な説明】
【技術分野】
【０００１】
本発明は、ワイヤレス通信分野のランダム・アクセスに関し、特に、複数のセルのキャリア・アグリゲーションのケースにおけるランダム・アクセスに関する。
【背景技術】
【０００２】
高いデータ・レートをサポートするために、ＬＴＥ−Ａリリース１０（Ｒ１０）において、キャリア・アグリゲーションが導入されている。キャリア・アグリゲーションにおいては、２つ以上（２つを含む）のコンポーネント・キャリアが、１つのＵＥへ集められることが可能である。Ｒ１０においては、これらのコンポーネント・キャリアが同じタイミング・アドバンス（ＴＡ）を有する、というコンポーネント・キャリアに対する制約がある。タイミング・アドバンスは、別々のＵＥによってｅＮＢへ送信されたアップリンク・データを、そのｅＮＢへの着信時に確実に同期させることができるようにするために使用される。リリース１１（Ｒ１１）においては、オペレータのためにさらにフレキシブルな展開をサポートする目的で、業界は、この制約をなくすことを提言している。したがって、Ｒ１１においては、マルチＴＡがサポートされることが可能である（ＵＥが、対応する機能を有している場合）。同じＴＡおよび同じタイミング基準が適用されるアップリンクを有するサービング・セル同士（典型的には、それらのサービング・セルは、同じ送信機によって管理される）は、同じＴＡグループ（略してＴＡＧ）にグループ化される。それぞれのＴＡグループは、構成されているアップリンクを伴う少なくとも１つのサービング・セルを含み、それぞれのサービング・セルと、そのサービング・セルが属するＴＡグループとの対応関係は、ＲＲＣシグナリングを用いてサービングｅＮＢによってＵＥ向けに構成される。ＵＥは、プライマリ・セル（またはＰＣｅｌｌと呼ばれる）にアクセスするはずである。セカンダリ・セル（ＳＣｅｌｌと呼ばれる）とＴＡグループとの間における対応関係は、ＲＲＣシグナリングを用いて再構成されることが可能である。マルチＴＡをサポートするＵＥは、少なくとも２つのＴＡグループ、すなわち、ＰＣｅｌｌを含むＴＡグループ（ｐＴＡＧ）（そのＩＤは０である）、およびＰＣｅｌｌを含まないＴＡグループ（ｓＴＡＧ）をサポートする必要がある。
【０００３】
ｓＴＡＧに対応するタイミング・アドバンスを得るためには、ｅＮＢによって開始されるランダム・アクセス手順が使用されるべきであり、ｅＮＢは、ＰＤＣＣＨ（または物理ダウンリンク制御チャネルと呼ばれる）を介して移送されるダウンリンク制御情報（ＤＣＩ）を介してのみ、アクティブ化されたＳＣｅｌｌに関する非競合ベースのランダム・アクセス手順を開始する。現在のＴＳ３６．２１２標準によれば、非競合ベースのランダム・アクセス手順をトリガするためにＤＣＩ  １Ａが使用される場合には、ＤＣＩ  １Ａにおける対応する情報要素（略してＩＥ）は、下記の要件を満たすべきである：
−  ローカル型／分散ＶＲＢ（仮想リソース・ブロック）割り当てフラグ  −  １ビット、０に設定されている；
−  リソース・ブロック割り当て  −  数ビット、すべてのビットが１に設定されている；
−  プリアンブル・インデックス  −  ６ビット；
−  ＰＲＡＣＨ（物理ランダム・アクセス・チャネル）マスク・インデックス  −  ４ビット，
−  単一のＰＤＳＣＨ（物理ダウンリンク共有チャネル）コードワードのコンパクトなスケジューリング割り当てのために使用されるフォーマット１Ａの残りのすべてのビットがゼロに設定されている。
【０００４】
ＤＣＩ  １Ａは、ＳＣｅｌｌにおけるランダム・アクセス手順をトリガするための情報を含んでおらず、したがって、ＳＣｅｌｌにおけるランダム・アクセス手順をサポートすることはできないということに我々は気づくことができる。
【０００５】
加えて、ランダム・アクセス手順においては、ＵＥは、ＳＣｅｌｌにおけるランダム・アクセス手順を実行すると、ランダム・アクセスのランダム・アクセス応答（略してＲＡＲ、またはＭＳＧ２と呼ばれる）を監視するはずである。ＭＳＧ２は、ランダム・アクセス無線ネットワーク一時識別子（ＲＡ−ＲＮＴＩ）によってアドレス指定されることが可能である。現在のＴＳ３６．２１３標準においては、ＵＥは、ＭＳＧ２を監視しているときにｐＴＡＧおよびその他のｓＴＡＧからデータを受信することができない。これは、ＲＡ−ＲＮＴＩによってスクランブルされたＤＣＩが特定のサブフレームにおいて割り当てられる場合には、Ｃ−ＲＮＴＩ（セル無線ネットワーク一時識別子）またはＳＰＳ  Ｃ−ＲＮＴＩ（半永続スケジューリングＣ−ＲＮＴＩ）によってスクランブルされたＤＣＩも、そのサブフレームにおいて割り当てられ、ＵＥは、ＲＡ−ＲＮＴＩによってスクランブルされたＤＣＩを検知した後に、ｐＴＡＧまたはその他のｓＴＡＧに属するセルによって送信された、Ｃ−ＲＮＴＩまたはＳＰＳ−ＲＮＴＩによってスクランブルされたＤＣＩをもはや復号せず、したがってＵＥは、ＰＤＳＣＨにおいて移送されてこれらのＤＣＩによって示されるデータを受信および復号しないためである。これは、通信パフォーマンスの低下につながる。
【０００６】
現在の標準およびソリューションは、キャリア・アグリゲーションにおける同じタイミング・アドバンスのケースに焦点を合わせている。したがって、現在のソリューションは、マルチＴＡキャリア・アグリゲーションのもとでのＳＣｅｌｌランダム・アクセスの問題およびランダム・アクセス手順におけるデータ受信問題をサポートすることができない。
【発明の概要】
【発明が解決しようとする課題】
【０００７】
本発明は、マルチＴＡキャリア・アグリゲーション・シナリオにおけるＳＣｅｌｌに関するランダム・アクセス・ソリューションを提供すること、およびマルチＴＡキャリア・アグリゲーション・シナリオにおけるＳＣｅｌｌのランダム・アクセス手順中の別のセルに関するデータ受信問題を解決する技術的なソリューションを提供することを意図している。
【課題を解決するための手段】
【０００８】
本発明の一態様によれば、セカンダリ・セルにランダムにアクセスするために使用される方法がＵＥにおいて提供され、ＵＥは、プライマリ・セルにアクセスしており、プライマリ・セルおよびセカンダリ・セルは、別々のタイミング・アドバンス・グループに属している。この方法は、
ａ．第１のセルからランダム・アクセス・コマンドを受信するステップであって、そのコマンドが、セカンダリ・セルにアクセスするようＵＥに指示するために使用される、ステップと、
ｂ．ランダム・アクセス・コマンドに従ってランダム・アクセス・プリアンブルをセカンダリ・セルへ送信するステップと、を含む。
【０００９】
この態様は、マルチＴＡシナリオにおいてＳＣｅｌｌにアクセスするＵＥのための技術的なソリューションを提供し、これは、既存の技術における空白を埋めるものである。
【００１０】
この態様の一実施形態によれば、ステップａにおいて、受信されるランダム・アクセス・コマンドは、
−  セカンダリ・セルにアクセスすることを指示する命令情報を含む、ランダム・アクセスを指示するダウンリンク制御情報１Ａ、
−  セカンダリ・セルにランダムにアクセスすることを指示するための専用とされているダウンリンク制御情報、のうちのいずれか１つである。
【００１１】
この実施形態は、ランダム・アクセス・コマンドとしてＤＣＩを使用するというソリューションを提供する。ランダム・アクセス・コマンドとしてＤＣＩ  １Ａを使用する場合は、より良好な下位互換性を有する。
【００１２】
さらなる好ましい一実施形態によれば、ランダム・アクセス・コマンドが、ランダム・アクセスを指示するダウンリンク制御情報１Ａである場合には、命令情報は、セカンダリ・セルにランダムにアクセスすることを指示するために使用される特定の値として構成されている下記のフィールド、すなわち、
−  キャリア・インジケータ、
−  専用の情報要素、
−  変調および符号化方式の情報要素、
−  ＨＡＲＱ手順番号の情報要素、のうちのいずれかを含む。
【００１３】
このさらなる好ましい実施形態は、ランダム・アクセス・コマンドとしてＤＣＩ  １Ａを使用する場合に、ＳＣｅｌｌにランダムにアクセスすることを指示するために使用されることが可能である利用可能なフィールドを提供する。現在のキャリア・インジケータ、変調および符号化方式の情報要素、ならびにＨＡＲＱ手順番号の情報要素等などのフィールドを使用する場合は、より良好な下位互換性を有する。
【００１４】
この態様の一実施形態によれば、セカンダリ・セルは、基地局によってクロスキャリア・スケジューリングを用いて構成されており、ランダム・アクセス・コマンドは、セカンダリ・セルを示す指示情報をさらに含み、
ステップａにおいて、セカンダリ・セルをクロスキャリア・スケジューリングする別のセルが第１のセルであり、ランダム・アクセス・コマンドは、その別のセルによって送信される。
【００１５】
この実施形態においては、クロスキャリア・スケジューリングが可能にされ、ＳＣｅｌｌにランダムにアクセスすることは、ＰＣｅｌｌ、またはそのＰＣｅｌｌの別のＴＡグループの別のＳＣｅｌｌによって開始されることが可能であり、これは、ランダム・アクセス制御に関する高い柔軟性を提供する。特に、ランダム・アクセス・コマンドとしてＤＣＩ  １Ａを使用するケースにおいては、ＳＣｅｌｌを示す指示情報が、ＤＣＩ  １Ａにおけるキャリア・インジケータによって実装されることが可能であり、そのキャリア・インジケータは、ＳＣｅｌｌのサービング・セル・インデックスを示す。
【００１６】
この態様の別の実施形態によれば、セカンダリ・セルは、基地局によってクロスキャリア・スケジューリングを用いて構成されてはおらず、ステップａにおいて、セカンダリ・セルは、ランダム・アクセス・コマンドを送信するための第１のセルとみなされ、ランダム・アクセス・コマンドは、セカンダリ・セルによって送信される。
【００１７】
この実施形態においては、ＳＣｅｌｌにランダムにアクセスすることは、そのＳＣｅｌｌによって送信されたランダム・アクセス・コマンドによってトリガされ、そのランダム・アクセス・コマンドは、ランダム・アクセスを良好に直接制御することができる。
【００１８】
この態様の一実施形態によれば、ステップａは、コマンドから物理ランダム・アクセス・チャネルのプリアンブル情報およびマスク情報を入手し、
ステップｂは、物理ランダム・アクセス・チャネルの構成に従って、ランダム・アクセスを要求するためにプリアンブルをセカンダリ・セルへ送信する。
【００１９】
この実施形態は、ランダム・アクセスを要求するさらに特定の実施態様を提供する。
【００２０】
この態様の一実施形態によれば、ステップｂの前に、この方法は、
−  ランダム・アクセス・コマンドが有効であるかどうかを確認するステップと、
そのコマンドの有効性が確認された場合にステップｂを実施するステップと、をさらに含む。
【００２１】
ランダム・アクセス・コマンドは、誤って送信される場合があり、または第１のセルが、誤ったスケジューリングを実施して、誤ったランダム・アクセス・コマンドを生成するため、ＵＥによって受信されたランダム・アクセス・コマンドは無効である場合があり、これは、ＳＣｅｌｌにランダムにアクセスすることに影響を与える。したがって、ランダム・アクセス要求を実施する前に、ＵＥは、好ましくは、ランダム・アクセス・コマンドが有効であるかどうかを最初に確認し、それによって、ＳＣｅｌｌにランダムにアクセスする本発明による方法は、強固な堅牢性を備える。
【００２２】
さらなる好ましい一実施形態によれば、この方法は、
−  プライマリ・セル、およびセカンダリ・セルのうちのそれぞれがそれぞれ属するタイミング・アドバンス・グループを判定するステップをさらに含み、
ランダム・アクセス・コマンドが有効であるということを確認するステップは、
−  セカンダリ・セルが属するタイミング・アドバンス・グループが、プライマリ・セルのタイミング・アドバンス・グループとは異なるということを判定するステップと、
−  セカンダリ・セルがアクティブ化されているということを判定するステップと、
−  プリアンブルが、専用のランダム・アクセス・プリアンブルであり、物理ランダム・アクセス・チャネルが有効であるということを判定するステップと、を含む。
【００２３】
この実施形態は、ランダム・アクセス・コマンドが有効であるかどうかを確認するさらに具体的な方法を提供する。
【００２４】
上述の第１の態様およびそれぞれの実施形態によれば、本発明の好ましい実施ソリューションとして、
サービングｅＮＢが、ＳＣｅｌｌにランダムにアクセスすることをトリガするためにＤＣＩ  １Ａを使用することができ、ＳＣｅｌｌインデックスを示すためにキャリア・インジケータＩＥが使用される。
【００２５】
ＵＥは、ＤＣＩ  １Ａを受信した後に、命令を確認し、指定されているＳＣｅｌｌにおいてランダム・アクセスを実施することができるかどうかを確認する。下記の条件がすべて満たされている場合にのみ、ＵＥは、ランダム・アクセスを正常に実施することができる：
１．ＳＣｅｌｌが、ＰＳｅｌｌとは異なるｓＴＡＧに属している；
２．ＳＣｅｌｌが、アクティブ化されている；
３．ＤＣＩ  １Ａが、非競合ベースのランダム・アクセス手順をトリガするための有効なプリアンブルを含んでいる。
【００２６】
セルにおける本発明の上述の第１の態様に対応する第２の態様によれば、第１のセルが属する基地局において、セカンダリ・セルにランダムにアクセスするようＵＥに指示するために使用される方法が提供される。ＵＥは、プライマリ・セルにアクセスしており、プライマリ・セルおよびセカンダリ・セルは、別々のタイミング・アドバンス・グループに属しており、この方法は、
ｃ．ランダム・アクセス・コマンドをＵＥへ送信するステップであって、そのコマンドが、セカンダリ・セルにアクセスするようＵＥに指示するために使用される、ステップを含む。
【００２７】
好ましくは、ステップｃは、セカンダリ・セルを示す指示情報を、送信するためのランダム・アクセス・コマンド内に置き、および／または
第１のセルは、
セカンダリ・セル、
プライマリ・セル、
セカンダリ・セルをクロスキャリア・スケジューリングする別のセル、
のうちのいずれかのセルを含む。
【００２８】
この好ましい実施形態は、クロスキャリア・スケジューリングおよび非クロスキャリア・スケジューリングのケースでのセルにおける本発明の実施態様を提供する。
【００２９】
本発明の第３の態様によれば、ＵＥにおいてデータを受信する方法が提供される。ＵＥは、プライマリ・セルにアクセスしており、セカンダリ・セルにランダムにアクセスしており、セカンダリ・セルおよびプライマリ・セルは、別々のタイミング・アドバンス・グループに属しており、この方法は、
ｉ．特定のサブフレームにおいてセカンダリ・セルからランダム・アクセス応答を受信するステップと、
ｉｉ．サブフレームにおいてその他のセルによって送信された物理ダウンリンク・チャネルを受信して復号することを継続するステップと、を含む。
【００３０】
この態様においては、ＳＣｅｌｌのランダム・アクセス応答を受信するケースにおいて、ＵＥは、別のセルによって送信された物理ダウンリンク・チャネルを受信して復号することを継続し、これは、現在の標準において存在しているデータ喪失問題を解決する。
【００３１】
好ましくは、その他のセルは、
プライマリ・セル、および／または
プライマリ・セルと同じタイミング・アドバンス・グループに属するその他のセカンダリ・セル、および／または
セカンダリ・セルとは異なるタイミング・アドバンス・グループに属するその他のセルを含む。
【００３２】
好ましくは、ステップｉにおいて、ランダム・アクセス応答は、ランダム・アクセスＲＮＴＩによってスクランブルされ、
ステップｉｉにおいて、
ＵＥは、ＵＥのＣ−ＲＮＴＩによってスクランブルされたダウンリンク制御情報をＰＤＣＣＨにおいて復号すること、および／または
ＵＥの半永続スケジューリングＲＮＴＩによってスクランブルされたダウンリンク制御情報をプライマリ・セルのＰＤＣＣＨにおいて復号すること、および／または
ＵＥの半永続スケジューリングＲＮＴＩによってスクランブルされたデータ情報をプライマリ・セルのＰＤＳＣＨにおいて復号することを必要とする。
【００３３】
上述の第３の態様およびそれぞれの実施形態によれば、本発明の好ましい一実施態様として、
ＵＥは、特定のサブフレームにおいてＳＣｅｌｌに関連付けられているＭＳＧ２（ランダム・アクセス応答）を受信した場合には、別のセルのＰＤＣＣＨにおいてＣ−ＲＮＴＩ／ＳＰＳ  Ｃ−ＲＮＴＩによってアドレス指定された（スクランブルされた）ダウンリンク制御情報をさらに復号し、その別のセルは、ｐＴＡＧに属するＰＣｅｌｌもしくはＳＣｅｌｌ、またはｓＴＡＧに属する別のＳＣｅｌｌであることが可能である。
【００３４】
加えて、ＵＥは、リンク障害などの理由でＰＣｅｌｌへのランダム・アクセスを実行している最中には、ＰＣｅｌｌにおいてＰＤＣＣＨを監視するだけである。ＵＥは、特定のサブフレームにおいてＰＣｅｌｌに関連付けられているＭＳＧ２を受信した場合には、ＰＣｅｌｌ（別のセルを含む）のＰＤＣＣＨにおいて、Ｃ−ＲＮＴＩ／ＳＰＳ  Ｃ−ＲＮＴＩによってスクランブルされたダウンリンク制御情報をもはや復号しない。
【００３５】
下記の図面を参照しながら具体的な実施形態の詳細な説明を読むことによって、本発明のその他の特徴、目的、および利点が、より明らかになるであろう。
【図面の簡単な説明】
【００３６】
【図１】本発明の一実施形態による概略図である。
【発明を実施するための形態】
【００３７】
以降では、いくつかの実施形態を説明することを通じて本発明を詳細に解明する。対立のないケースにおいては、いくつかの実施形態およびそれらの特徴は、その他の実施形態およびそれらの特徴と結合されて、新たな実施形態を生み出すことが可能であるということを理解されたい。
【００３８】
［実施形態１］
あるＵＥが、ＰＣｅ１１にアクセスして、サービングｅＮＢとのＲＲＣ（無線リソース制御）接続をセットアップしている。サービングｅＮＢは、そのＵＥ向けのＣ−ＲＮＴＩ（任意選択で、ＳＰＳ  Ｃ−ＲＮＴＩをさらに含む）を構成する。サービス要件（たとえばスループットの増大）に起因して、サービングｅＮＢは、ＳＣｅｌｌと呼ばれる別のサービング・セル（ダウンリンクおよびアップリンクを含む）をそのＵＥ向けに構成する必要がある。ＳＣｅｌｌ（セル・インデックスは１である）はｓＴＡＧに属し、ｓＴＡＧのタイミング・アドバンスは、ＰＣｅｌｌが属するｐＴＡＧによって使用されるタイミング・アドバンスとは異なる。ｅＮＢは、ＲＲＣシグナリングを通じて、ＳＣｅｌｌがｓＴＡＧに属すると設定する。
【００３９】
ＵＥは、ＳＣｅｌｌがｓＴＡＧに属することに気づいた後には、アップリンク・タイミング・アドバンスを得るために、ＳＣｅｌｌ上でランダム・アクセスを実行する必要がある、ということを知る。
【００４０】
サービングｅＮＢは、ＳＣｅｌｌにランダムにアクセスするようにＵＥを制御する前に、ＳＣｅｌｌをアクティブ化するべきである。ｅＮＢは、ＭＡＣ  ＣＥ（メディア・アクセス制御制御要素）を通じてＳＣｅｌｌをアクティブ化するようＵＥに伝える。
【００４１】
この実施形態においては、ＳＣｅｌｌは、ｅＮＢによってクロスキャリア・スケジューリングを用いて構成され、したがって、ＳＣｅｌｌにランダムにアクセスすることは、そのセルをクロスキャリア・スケジューリングする別のセルによって開始されることが可能である。別のセルは、たとえば：
ＰＣｅｌｌ；
そのＰＣｅｌｌと同じｐＴＡＧに属するＳＣｅｌｌ；
そのＳＣｅｌｌとは異なるｓＴＡＧに属するＳＣｅｌｌ；
である。
【００４２】
この実施形態においては、発明のこの実施形態を説明するために、ランダム・アクセス・コマンドがＰＣｅｌｌによってトリガされる一例をとり上げる。
【００４３】
一実施形態においては、ＰＣｅｌｌは、ＳＣｅｌｌをクロスキャリア・スケジューリングする。ＳＣｅｌｌにランダムにアクセスするようＵＥをトリガする際には、ＰＣｅｌｌは、ＰＤＣＣＨにおいてＵＥへランダム・アクセス・コマンドを送信し、これは図１において矢印Ａとして示されている。この場合、ＰＣｅｌｌによって占められる帯域（アップリンクおよびダウンリンクを含む）は、Ｆ１である（説明する必要があることとして、ＴＤＤに関しては、アップリンクとダウンリンクの中心周波数は、Ｆ１である。ＦＤＤに関しては、アップリンクとダウンリンクの中心周波数は異なり、たとえばアップリンクはＦ１−であり、ダウンリンクはＦ１＋であり、ここでは、アップリンクとダウンリンクを示すためにＦ１が用いられている。本出願において周波数を示すその他の場所には、すべてこの説明が当てはまる）。ＵＥは、ＰＤＣＣＨにおいてＰＣｅｌｌによって送信されたダウンリンク制御情報を検知し、ランダム・アクセス・コマンドを受信する。
【００４４】
詳細な一実施形態においては、ランダム・アクセス・コマンドは、ダウンリンク制御情報１Ａ（ＤＣＩ  １Ａ）である。ＤＣＩ  １Ａのキャリア・インジケータが０である場合には、そのＤＣＩ  １Ａは、ＰＣｅｌｌそのものにランダムにアクセスすることを指示するために使用され、その一方で、ＤＣＩ  １Ａのキャリア・インジケータが１である場合には、そのＤＣＩ  １Ａは、ＳＣｅｌｌにランダムにアクセスすることを指示するために使用されることが可能である。ＰＣｅｌｌは、１という値であるキャリア・インジケータを伴うＤＣＩ  １ＡをＵＥに送信し、そのＤＣＩ  １Ａは依然として、ランダム・アクセスを実行するために使用されるプリアンブル・インデックスと、ＰＲＡＣＨマスク・インデックスとを含む。そのＰＲＡＣＨマスク・インデックスは、許可されているＰＲＡＣＨ（物理ランダム・アクセス・チャネル）を示すために使用される。
【００４５】
ＤＣＩ  １ＡはＰＤＣＣＨにおいて送信されるため、いくらかのエラーの可能性がある場合があり、またはＰＣｅｌｌは、誤ってスケジューリングすること、たとえば、パブリック・プリアンブルとして割り振られているプリアンブルを、ランダム・アクセスにおいて使用されるものとして割り振ることがあり、これらのエラーは、ランダム・アクセスにおいてエラーが生じることにつながる。したがって、ＤＣＩ  １Ａを受信した後に、およびランダム・アクセスを実行する前に、好ましくは、ＵＥは、ランダム・アクセス・コマンドが有効であるかどうかを確認する。詳細には、ＵＥは、ＳＣｅｌｌが属しているタイミング・アドバンス・グループはｐＴＡＧではないということを判定し、ＳＣｅｌｌがアクティブ化されているということを判定し、プリアンブルが有効であるということ、たとえば、パブリック・プリアンブルによって占められていないということも判定し（ＵＥは、システム・メッセージを通じてパブリック・プリアンブルを得ることができ、次いで、ＤＣＩ  １Ａにおいて示されているプリアンブルがパブリック・プリアンブルであるかどうかを判定することができ、パブリック・プリアンブルでない場合には、有効であると判定する）、ＰＲＡＣＨマスクが有効であるということも判定する。ランダム・アクセス・コマンドが有効であるケースにおいては、ＵＥは、ランダム・アクセスを実行する。確認ステップは、ＤＣＩ送信エラーまたはＰＣｅｌｌスケジューリング・エラーに対する誤り耐性（Ｆａｕｌｔ  Ｔｏｌｅｒａｎｃｅ）処理を実行し、それらは、本発明を実施する上で必要なステップではないということを理解することができる。
【００４６】
ランダムにアクセスする際には、ＰＲＡＣＨ構成によれば、ＵＥは、ランダム・アクセス要求を実行するためにプリアンブルをＳＣｅｌｌへ送信し（アップリンクにおいて送信し）、すなわち、ＳＣｅｌｌのサービングｅＮＢへの送信を行い、これは図１において矢印Ｃとして示されている。この場合、ＳＣｅｌｌによって占められる帯域（アップリンクおよびダウンリンクを含む）は、Ｆ２である。図１におけるＰＣｅｌｌとＳＣｅｌｌの違いは、それらは論理的には別々のセルである一方で、物理的には、同じサービングｅＮＢにおいて別々の送信機によってそれぞれ制御されることが可能であると説明しうる、ということを理解できるであろう。
【００４７】
ランダム・アクセス・プリアンブルを送信するための時間周波数ロケーションに従って、ＵＥは、ランダム・アクセス・プロセスのためのＲＡ−ＲＮＴＩを得るために計算を行う。
【００４８】
その後、ＵＥは、ＳＣｅｌｌを管理しているサービングｅＮＢによって送信される、ＲＡ−ＲＮＴＩによってスクランブルされたランダム・アクセス応答ＭＳＧ２を継続的に監視する。この持続時間において、ＵＥは、ＰＣｅｌｌ  ＰＤＣＣＨにおいて送信される、Ｃ−ＲＮＴＩおよび／またはＳＰＳ  Ｃ−ＲＮＴＩによってスクランブルされたＤＣＩも監視する。特定のサブフレームにおいて、ＵＥが、ＲＡ−ＲＮＴＩによってスクランブルされたランダム・アクセス応答ＭＳＧ２を受信した場合には、このサブフレームにおいて、ＵＥは、ＵＥ  Ｃ−ＲＮＴＩによってスクランブルされたダウンリンク制御情報をＰＣｅｌｌ  ＰＤＣＣＨにおいて復号し続け（ｐＴＡＧにおけるその他のＳＣｅｌｌ、もしくはその他のｓＴＡＧに属しているその他のＳＣｅｌｌがある場合には、ＵＥは、ＵＥ  Ｃ−ＲＮＴＩによってスクランブルされたダウンリンク制御情報をこれらのＳＣｅｌｌ  ＰＤＣＣＨにおいて復号する必要がある）、および／または
ＵＥ  ＳＰＳ  Ｃ−ＲＮＴＩによってスクランブルされたダウンリンク制御情報をＰＣｅｌｌ  ＰＤＣＣＨにおいて復号し、および／または
ＵＥ  ＳＰＳ  Ｃ−ＲＮＴＩによってスクランブルされたデータ情報をＰＣｅｌｌ  ＰＤＳＣＨにおいて復号する。
【００４９】
［実施形態２］
ＵＥが、サービングｅＮＢとのＲＲＣ接続をセットアップしている。その接続は、１つのｐＴＡＧおよび２つのｓＴＡＧ（ｓＴＡＧ１およびｓＴＡＧ２）を伴って構成されている。そしてＵＥは、ｐＴＡＧにおいてＰＣｅｌｌに、およびｓＴＡＧ１においてＳＣｅｌｌ’にアクセスしており、ｐＴＡＧおよびｓＴＡＧ１のそれぞれのアップリンク・タイミング・アドバンスを得ている。
【００５０】
サービングｅＮＢは、ｓＴＡＧ２に属しているＳＣｅｌｌをアクティブ化し、ＵＥがそのＳＣｅｌｌにアクセスすることを必要とする。
【００５１】
クロスキャリア・スケジューリングが存在するケースにおいては、ＰＣｅｌｌがＳＣｅｌｌをクロスキャリア・スケジューリングするように構成されている場合には、ＰＣｅｌｌは、ＳＣｅｌｌにアクセスするランダム・アクセス・コマンドをＵＥへ送信することができ、これは実施形態１と同様であり、図１において矢印Ａとして示されており、この場合、ＰＣｅｌｌによって占められる帯域（アップリンクおよびダウンリンクを含む）は、Ｆ１である。ＳＣｅｌｌ’がＳＣｅｌｌをクロスキャリア・スケジューリングするように構成されている場合には、ｓＴＡＧ１におけるＳＣｅｌｌ’は、ランダム・アクセス・コマンドをＵＥへ送信することができ、これは図１において矢印Ａ’として示されており、この場合、ＳＣｅｌｌ’によって占められる帯域（アップリンクおよびダウンリンクを含む）は、Ｆ３である。ランダム・アクセス・コマンドのフォーマットは、前の実施形態におけるフォーマットと同様であることが可能であり、たとえば、ランダム・アクセス・コマンドはＤＣＩ  １Ａであり、これは、ＳＣｅｌｌのセル・インデックス１を示すためのキャリア・インジケータを含む。
【００５２】
この実施形態においては、ＳＣｅｌｌは、ｅＮＢによってクロスキャリア・スケジューリングを用いて構成されてはいないが、ＳＣｅｌｌは、ランダム・アクセス・コマンドをＵＥへ（ＦＤＤに関しては、ＳＣｅｌｌのダウンリンク・キャリアにおいて、ＴＤＤに関しては、ＳＣｅｌｌのダウンリンク・サブフレームにおいて）送信し、そのコマンドは、ＳＣｅｌｌにランダムにアクセスすることを指示することができ、これは図１において矢印Ｂとして示されている。そしてＵＥは、クロスキャリア・スケジューリングがないということを知り、次いでＵＥは、ランダム・アクセス・コマンドを送信するＳＣｅｌｌを判定して、そのＳＣｅｌｌをランダム・アクセスのターゲットＳＣｅｌｌとみなすことができる。
【００５３】
その後、ＵＥは、ランダム・アクセス・コマンドの有効性を確認すること、およびそのコマンドが有効である場合には、ランダムにアクセスすることを継続することが可能であり、これは前の実施形態と同様である。
【００５４】
ランダムにアクセスする際には、ＰＲＡＣＨ構成によれば、ＵＥは、ランダム・アクセス要求を実行するためにプリアンブルをＳＣｅｌｌへ送信し（ＦＤＤに関しては、ＳＣｅｌｌのアップリンク・キャリアにおいて送信し、ＴＤＤに関しては、ＳＣｅｌｌのアップリンク・サブフレームにおいて送信し）、すなわち、ＳＣｅｌｌを管理しているサービングｅＮＢへの送信を行い、これは図１において矢印Ｃとして示されており、この場合、ＳＣｅｌｌによって占められる帯域（アップリンクおよびダウンリンクを含む）は、Ｆ２である。
【００５５】
そして、ランダム・アクセス・プリアンブルを送信するための時間周波数ロケーションに従って、ＵＥは、ランダム・アクセス・プロセスのためのＲＡ−ＲＮＴＩを得るために計算を行う。
【００５６】
その後、ＵＥは、ＳＣｅｌｌを管理しているサービングｅＮＢによって送信される、ＲＡ−ＲＮＴＩによってスクランブルされたランダム・アクセス応答ＭＳＧ２を継続的に監視する。この持続時間において、ＵＥは、ＰＣｅｌｌ  ＰＤＣＣＨにおいて送信される、Ｃ−ＲＮＴＩおよび／またはＳＰＳ  Ｃ−ＲＮＴＩによってスクランブルされたＤＣＩ、ならびに、ｓＴＡＧ１においてＳＣｅｌｌのＰＤＣＣＨにおいて送信される、Ｃ−ＲＮＴＩによってスクランブルされたＤＣＩも監視する。特定のサブフレームにおいて、ＵＥが、ＲＡ−ＲＮＴＩによってスクランブルされたランダム・アクセス応答ＭＳＧ２を受信した場合には、このサブフレームにおいて、ＵＥは依然として、ＰＣｅｌｌ  ＰＤＣＣＨにおいて送信される、Ｃ−ＲＮＴＩおよび／またはＳＰＳ  Ｃ−ＲＮＴＩ（任意選択）によってスクランブルされたＤＣＩを監視して復号し、このサブフレームにおいて、ＵＥは依然として、ｓＴＡＧ１においてＳＣｅｌｌのＰＤＣＣＨにおいて送信される、Ｃ−ＲＮＴＩによってスクランブルされたＤＣＩを監視して復号し、ＤＣＩ情報に従って対応するＰＤＳＣＨを受信して復号することによってダウンリンク・データを得る。
【００５７】
ＵＥは、リンク障害などの理由でＰＣｅｌｌへのランダム・アクセスを実行する場合には、ＰＣｅｌｌにおいてＰＤＣＣＨを監視するだけである。ＵＥは、特定のサブフレームにおいてＰＣｅｌｌに関連付けられているＭＳＧ２を受信した場合には、Ｃ−ＲＮＴＩ／ＳＰＳ  Ｃ−ＲＮＴＩによってスクランブルされたＤＣＩをもはや復号しない。
【００５８】
この実施形態にはその他の実施態様があり、ＵＥがＳＣｅｌｌにおいてランダム・アクセスを開始した後に、ＳＣｅｌｌにおいて監視されるランダム・アクセス応答は、Ｃ−ＲＮＴＩによってスクランブルされている。この場合には、ＵＥは、ＰＣｅｌｌ  ＰＤＣＣＨにおいて送信される、Ｃ−ＲＮＴＩおよび／またはＳＰＳ  Ｃ−ＲＮＴＩによってスクランブルされたＤＣＩ、ならびにｓＴＡＧ１においてＳＣｅｌｌのＰＤＣＣＨにおいて送信される、Ｃ−ＲＮＴＩによってスクランブルされたＤＣＩを監視する必要がある。
【００５９】
［実施形態３］
前の２つの実施形態においては、ランダム・アクセスＳＣｅｌｌのランダム・アクセス・コマンドの詳細な実施形態を例示するために、ＤＣＩ  １Ａと、ＳＣｅｌｌのセル・インデックスを示すキャリア・インジケータと、を使用している。変更された一実施形態においては、ランダム・アクセスＳＣｅｌｌのセル・インデックスを示す上でキャリア・インジケータが使用されないことが可能であり、その一方で、新たに設計された専用の情報要素が、ランダム・アクセスＳＣｅｌｌを示すために、たとえば、そのセル・インデックスを示すために使用される。
【００６０】
別の変更された実施形態においては、ランダムにアクセスされるＳＣｅｌｌのインデックスを示す必要はなく、ＳＣｅｌｌにランダムにアクセスするようＵＥに知らせることが必要なだけであり、アクセスされる具体的なＳＣｅｌｌは、ＵＥ自身によって判定される。たとえばキャリア・インジケータは、ＳＣｅｌｌにランダムにアクセスすることを指示するためにＤＣＩ  １Ａが使用されているということを表す目的で、１（１ビット）または１１１（３ビット）など、０以外のその他の特定の値に設定される。または、ＳＣｅｌｌにランダムにアクセスすることを指示するために、ＤＣＩ  １Ａにおけるその他の情報要素、たとえば変調および符号化方式が１１１１１に設定され、またはＨＡＲＱ手順番号が１１１に設定される。
【００６１】
ＵＥは、どのＳＣｅｌｌにランダムにアクセスするかを判定する場合には、下記の方法を適用することができる。
【００６２】
クロスキャリア・スケジューリングが存在しているケースにおいては、クロスキャリア・スケジューリングの対応関係は、ＵＥ向けに構成されており、ＵＥは、ランダム・アクセス・コマンドを送信するセルに対応する、クロスキャリア・スケジューリングされたセルを、クロスキャリア・スケジューリングの関係に従って、ＳＣｅｌｌとして直接見つけ出す。
【００６３】
クロスキャリア・スケジューリングがないケースにおいては、受信されたコマンドが属するＳＣｅｌｌは、ランダム・アクセスが実行されることが必要とされるＳＣｅｌｌであるということが、ＵＥにおいてデフォルト設定されている。
【００６４】
ある代替実施形態においては、サービング・セルは、一度に１つのＳＣｅｌｌに関してランダム・アクセスを実行するようＵＥをトリガするだけである。ＵＥは、トリガされたばかりのＳＣｅｌｌを、アクセスされることになるＳＣｅｌｌと判定する。
【００６５】
ある代替実施形態においては、サービングｅＮＢは、現在のＤＣＩ  １Ａを、ＳＣｅｌｌにおいてランダム・アクセスを実行するようＵＥをトリガするためには使用せず、現在のＤＣＩ  １Ａは、ＰＣｅｌｌにおいてランダム・アクセスを実行するようＵＥをトリガするための専用のものとされる。ＳＣｅｌｌにおいてランダム・アクセスを実行するようＵＥをトリガするために、新たなＤＣＩが導入される。その新たなＤＣＩは、ランダム・アクセス・プリアンブル・インデックスを含む必要があり、ＰＲＡＣＨマスク・インデックスは、任意選択で、ＳＣｅｌｌのセル・インデックスを依然として含むことができる。
【００６６】
ＵＥは、ＳＣｅｌｌを判定した後に、ランダム・アクセス・コマンドが有効であるかどうかを確認し、たとえばＵＥは、ＳＣｅｌｌが属しているタイミング・アドバンス・グループはｐＴＡＧではないということを判定し、ＳＣｅｌｌがアクティブ化されているということを判定し、プリアンブルが有効であるということ、たとえば、パブリック・プリアンブルによって占められていないということも判定し、ＰＲＡＣＨマスクが有効であるということも判定する。ＵＥは、ランダム・アクセス・コマンドが有効であるということを確認した後に、ランダム・アクセスを実行する。
【００６７】
間違いなく、本発明にはその他の複数の実施形態がある。当業者なら、本発明の趣旨および本質から逸脱することなく、すべての種類の対応する変更および修正を本発明に従って行うことができ、その一方で、それらの対応する変更および修正は、本発明に添付されている特許請求の範囲の保護範囲に属するものである。
【００６８】
上述の方法におけるすべてのステップまたは一部のステップは、関連したハードウェアに命令するプログラムを通じて実施されることが可能であり、それらのプログラムは、コンピュータの読み取り可能なストレージ・メディア、たとえば、読み取り専用メモリ、ディスク、またはＣＤ−ＲＯＭなどに格納されることが可能であるということを当業者なら理解することができる。任意選択で、上述の実施形態におけるすべてのステップまたは一部のステップは、実装する上で１つまたは複数の集積回路を使用することができる。それに対応して、上述の実施形態におけるそれぞれのモジュール／ユニットは、実装する上でハードウェアの形態を、または実装する上でソフトウェア機能モジュールの形態をとることができる。本発明は、ハードウェアとソフトウェアの組合せのいかなる特定の形態にも限定されない。
【図１】
2015516726.tif 000003
【国際調査報告】
2015516726.tif 000004
2015516726.tif 000005
2015516726.tif 000006